(57)【要約】【課題】  練習用のボールとなる球体部を設けてなるアームが使用者の打撃によって回転した場合、該アームを自動的に本来の位置に復帰させ、練習の効率を高めるゴルフ練習器のオートリターン装置を提供する。【解決手段】  ハウジング本体と、該ハウジングに回動自在に設けられ、かつゴルフ練習用ボールとなる球体部を一端に設けたアームを設けてなる上ハウジングとを具えてなり、ゴルフ練習器に設けられる。該上ハウジングには側面の内部に支軸を形成し、該支軸を挿入して支持する被吸引板を設けるとともに、該ハウジング本体の該被吸引板に対応する位置に収納溝を形成して、該アームの回転速度が減少すると導電する電磁鉄を該収納溝に嵌設し、該電磁鉄の磁力で該被吸引板を吸引して該球体部を一端に形成したアームの位置を本来の位置に自動的に復帰させるように構成する。【選択図】  図１
0003103181.tif 000002
【実用新案登録請求の範囲】
【請求項１】
ゴルフ練習器に設けられる球体部のオートリターン装置であって、
ハウジング本体と、該ハウジングに回動自在に設けられ、かつゴルフ練習用ボールとなる球体部を一端に設けたアームを設けてなる上ハウジングとを具え、
該上ハウジングの側面の内部に支軸を形成し、該支軸を挿入して支持する被吸引板を設けるとともに、該ハウジング本体の該被吸引板に対応する位置に収納溝を形成して、該アームの回転速度が減少すると導電する電磁鉄を該収納溝に嵌設し、該電磁鉄の磁力で該被吸引板を吸引して該球体部を一端に形成したアームの位置を本来の位置に自動的に復帰させるように構成することを特徴とするゴルフ練習器の球体部オートリターン装置。
【考案の詳細な説明】
【技術分野】
【０００１】
この考案は、ゴルフ練習器に関し、練習用ボールとなる球体部を一端に設けたアームが打撃を受けて回転した場合、該アームの位置を本来の位置に自動的に復帰させるゴルフ練習器の球体部オートリターン装置に関する。
【背景技術】
【０００２】
現在に至り、レジャーを楽しむ風潮が高まっている。このような中にあって、ゴルフは個人で行う練習にしても、数人で行う試合にしても、十分な運動効果が得られるため人気が高いスポーツになっている。通常ゴルフの初心者は練習場で打撃練習を行う。このため個人が家庭で練習できるゴルフ練習器が研究開発され、市場で販売されている。かかるゴルフ練習器は練習器の前端に練習用のボールが設けられており、使用者はそのボールを打つことにより打撃練習を行うことができる。
【０００３】
従来のゴルフ練習器は使用者が練習用ボールとなる球体部を打撃すると、該球体部を一端に設けてなるアームが回転する。但し、その回転はすぐには止まらなく、また従来のゴルフ練習器には如何なるオートリターン装置も設けられていないため、使用者はアームの回転が停止するのを待つか、或いは強制的にアームの回転を止めなければ、次の打撃練習を行うことができない。かかるゴルフ練習器は、使用者にとって不便であるのみならず、練習の意欲を低下させることにもなる。
【考案の開示】
【考案が解決しようとする課題】
【０００４】
この考案は、練習用のボールとなる球体部を設けてなるアームが使用者の打撃によって回転した場合、該アームを自動的に本来の位置に復帰させることによって、練習の効率を高めることのできるゴルフ練習器の球体部オートリターン装置を提供することを課題とする。
【課題を解決するための手段】
【０００５】
そこで、本考案の考案者は従来の技術に見られる欠点に鑑みて鋭意研究を重ねた結果、ハウジング本体と、該ハウジングに回動自在に設けられ、かつゴルフ練習用ボールとなる球体部を一端に設けたアームを設けてなる上ハウジングとを具え、  該上ハウジングの側面の内部に支軸を形成し、該支軸を挿入して支持する被吸引板を設けるとともに、該ハウジング本体の該被吸引板に対応する位置に収納溝を形成して、該アームの回転速度が減少すると導電する電磁鉄を該収納溝に嵌設し、該電磁鉄の磁力で該被吸引板を吸引して該球体部を一端に形成したアームの位置を本来の位置に自動的に復帰させるように構成し、ゴルフ練習器内に設けてなるゴルフ練習器の球体部オートリターン装置の構造によって課題を解決できる点に着眼し、かかる知見に基づいて本考案を完成させた。
【０００６】
以下、この考案について具体的に説明する。
請求項１に記載するゴルフ練習器のオートリターン装置は、ゴルフ練習器に設けられる球体部のオートリターン装置であって、ハウジング本体と、該ハウジングに回動自在に設けられ、かつゴルフ練習用ボールとなる球体部を一端に設けたアームを設けてなる上ハウジングとを具え、該上ハウジングの側面の内部に支軸を形成し、該支軸を挿入して支持する被吸引板を設けるとともに、該ハウジング本体の該被吸引板に対応する位置に収納溝を形成して、該アームの回転速度が減少すると導電する電磁鉄を該収納溝に嵌設し、該電磁鉄の磁力で該被吸引板を吸引して該球体部を一端に形成したアームの位置を本来の位置に自動的に復帰させるように構成する。
【考案の効果】
【０００７】
この考案によるゴルフ練習器の球体部オートリターン装置は、アームの一端に設けた球体部を打撃して回転させると、該球体部が本来の位置に自動的に復帰するため、使用上便利で実用的であり、ゴルフの練習の効率を高めるといった利点を有する。
【考案を実施するための最良の形態】
【０００８】
この考案は、練習用ボールとなる球体部を一端に設けたアームが打撃を受けて回転した場合、該アームの位置を本来の位置に自動的に復帰させるゴルフ練習器の球体部オートリターン装置を提供するものであって、ハウジング本体と、該ハウジングに回動自在に設けられ、かつゴルフ練習用ボールとなる球体部を一端に設けたアームを設けてなる上ハウジングとを具え、該上ハウジングの側面の内部に支軸を形成し、該支軸を挿入して支持する被吸引板を設けるとともに、該ハウジング本体の該被吸引板に対応する位置に収納溝を形成して、該アームの回転速度が減少すると導電する電磁鉄を該収納溝に嵌設し、該電磁鉄の磁力で該被吸引板を吸引して該球体部を一端に形成したアームの位置を本来の位置に自動的に復帰させるように構成する。
かかるゴルフ練習器の球体部オートリターン装置の構造と特徴を詳述するために具体的な実施例を挙げ、図示を参照にして以下に説明する。
【実施例】
【０００９】
図１は、この考案によるゴルフ練習器の球体部オートリターン装置の分解図であって、図２は、その局部拡大図である。また図３は、この考案による球体部オートリターン装置を設けたゴルフ練習器の斜視図である。図面によれば、オートリターン装置（１００）は、ゴルフ練習器（１０１）内に設けられ、上ハウジング（１０）と、ハウジング本体（２０）と、回転盤（３０）と、プレート（４０）と、アーム（５０）などを含んでなる。
【００１０】
該上ハウジング（１０）は、上面の中央に穿設した貫通孔と、側面に穿設した貫通溝（１２）と、該貫通溝（１２）に対向する側面内部に形成した支軸（１３）とを具えてなる。
【００１１】
該ハウジング本体（２０）は、上面に形成した嵌合溝（２１）と、該嵌合溝（２１）の中央に穿設した貫通孔（２２）と、該嵌合溝（２１）の外周の一端に形成した収納溝（２３）とを形成する。
【００１２】
該回転盤（３０）は、円盤状の板体であって底面には円周の一部にセンサー部（３７）を具え、ゴルフ練習器に回動自在に設けられる円盤部上面の中央に中空の第１円筒状部（３１）を形成する。該第１円筒状部（３１）は側面に形成した孔部（３２）と、円周上の対向する位置にそれぞれ形成するスライド溝（３３）と、上端面に形成した嵌合部（３４）とを具えてなる。該嵌合部（３４）は上面に直径が第１円筒状部（３１）より狭い第２円筒状部（３５）を設ける。第２円筒状部（３５）は円周上の対向する位置に位置決め溝（３６）とを形成する。
【００１３】
該プレート（４０）は、長板状を呈し、上面には突起（４１）を形成する。
【００１４】
該アーム（５０）は、所定の長さを有する桿体であって、一端に練習用のボールとなる球体部（５１）を設け、他端に貫通孔（５２）を穿設してなる。
【００１５】
上述の部材を組み立てる場合は、第１ベアリング（６０）はプレート（４０）の突起（４１）に嵌合させ、センサー（６１）はプレート（４０）上に固定し、回転盤（３０）はプレート（４０）に嵌着した第１ベアリング（６０）上に嵌設する。回転盤（３０）の嵌合部（３４）をハウジング本体（２０）の貫通孔（２２）から挿入し、第２ベアリング（６２）を回転盤（３０）の第１円筒状部（３１）に嵌挿してハウジング本体（２０）の嵌合溝（２１）に嵌着させる。またアーム（５０）は貫通孔（５２）を穿設した一端を上ハウジング（１０）の貫通溝（１２）から挿入し、回転盤（３０）の孔部（３２）に挿設する。更に固定ピン（６３）を回転盤（３０）の第１円筒状部（３１）のスライド溝（３３）から挿入し、アーム（５０）の一端に形成された貫通孔（５２）に挿通させて、アーム（５０）を回転盤（３０）に回動自在に設ける。
【００１６】
上ハウジング（１０）の内部に形成した支軸（１３）には被吸引板（７０）が接続される。ハウジング本体（２０）は被吸引板（７０）に対向する位置に収納槽（２３）を形成し、内部に電磁鉄（７１）を設ける。
【００１７】
図３に開示するように、使用者がアーム（５０）の一端に設けられた練習用の球体部（５１）を打撃すると、アーム（５０）の一端を固定した回転盤（３０）と、上ハウジング（１０）とが回転する。回転速度が減少すると、センサー（６１）が回転盤（３０）のセンサー部（３７）の回転速度の減少を感知し（図４参照）、ハウジング本体（２０）に設けた電磁鉄（７１）に電流が流れて磁力を発生させる。電磁鉄（７１）に磁力が発生すると、上ハウジング（１０）の内側に設けられた被吸引板（７０）が電磁鉄（７１）の磁力によって吸引され、アーム（５０）の一端に設けた球体部（５１）が本来の位置（図６参照）に復帰する。即ち、使用者が球体部（５１）を打撃すると、アーム（５０）が回転し、回転速度が減少すると、球体部（５１）が自動的に本来の位置に復帰して、オートリターンの目的を達成する。
【００１８】
以上をまとめると、この考案によるゴルフ練習器のオートリターン装置は、上ハウジング（１０）の一端に被吸引板（７０）を設け、且つハウジング本体（２０）上において該被吸引板（７０）に対向する位置に電磁鉄（７１）を設ける。電磁鉄に（７１）に電流が流れると、電磁鉄（７１）に磁力が発生し、被吸引板（７０）が吸引されて、アーム（５０）が元の位置に復帰する。
【００１９】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２０】
【図１】この考案によるゴルフ練習器の球体部オートリターン装置の分解図である。
【図２】図１に開示する球体部オートリターン装置の局部拡大図である。
【図３】図１に開示する球体部オートリターン装置を設けたゴルフ練習器の斜視図である。
【図４】図１に開示する球体部オートリターン装置における回転盤とセンサーとの関係を示した説明図である。
【図５】図１に開示する球体部オートリターン装置を設けたゴルフ練習器の局部断面図である。
【図６】図１に開示する球体部オートリターン装置を設けたゴルフ練習器の局部断面図である。
【符号の説明】
【００２１】
１０        上ハウジング
１００      オートリターン装置
１０１      ゴルフ練習器
１１        貫通溝
１２        貫通孔
１３        支軸
２０        ハウジング本体
２１        嵌合溝
２２        貫通孔
２３        収納溝
３０        回転盤
３１        第１円筒状部
３２        孔部
３３        スライド溝
３４        嵌合部
３５        第２円筒状部
３６        位置決め溝
３７        センサー部
４０        プレート
４１        突起
５０        アーム
５１        球体部
５２        貫通孔
６０        第１ベアリング
６１        センサー
６２        第２ベアリング
６３        固定ピン
７０        被吸引板
７１        電磁鉄
【図１】
0003103181.tif 000003
【図２】
0003103181.tif 000004
【図３】
0003103181.tif 000005
【図４】
0003103181.tif 000006
【図５】
0003103181.tif 000007
【図６】
0003103181.tif 000008